(57)【要約】【課題】簡単な操作でフラップ等の突出が少なく、コンパクトな折り畳み状態に解体することができる包装用箱を提供する。【解決手段】外蓋片３２の外蓋破断線３６は、正面折罫線３４と略平行な主部３６ａ、主部３６ａの一端から鈍角で斜めに突き出て正面折罫線３４の一端に達する第一斜部３６ｂ、主部３６ａの他端から鈍角で斜めに突き出て外蓋片３２の一方の先端側角部に達する第二斜部３６ｃを備える。外蓋片３２の第一外蓋折罫線３８は、主部３６ａの一端から鈍角で斜めに突き出て外蓋片３２の他方の先端角部に向かって延び、第二外蓋折罫線４０は、主部３６ａの他端から鈍角で斜めに突き出て正面折罫線３４の他端に向けて延びている。内蓋片５０の内蓋折罫線５４は、背面折罫線５２の一端から斜めに延びている。組み立て状態で、第一外蓋折罫線３８が内蓋折罫線５４に重なる。【選択図】図１
2019116292.tif 000002
【特許請求の範囲】
【請求項１】
正面板、背面板及び２つの側面板が互いに平行な折罫線を介して連接され、前記正面板には、前記連接方向と平行な端縁に外蓋片が正面折罫線を介して延設され、前記背面板には、前記連接方向と平行な端縁に内蓋片が背面折罫線を介して延設され、
組み立て状態で、前記正面板、前記背面板、及び前記２つの側面板により断面矩形の筒状体が形成され、前記筒状体の開口端側に前記内蓋片が倒れ、前記外蓋片が前記内蓋片に重なり、前記外蓋片が前記内蓋片に糊付けされて前記筒状体の開口端が閉鎖されている包装用箱において、
前記外蓋片の内側には、外蓋破断線と外蓋折罫線が設けられ、前記外蓋破断線は、前記正面折罫線の一端から前記外蓋片の対角の一方の先端側角部に達し、前記外蓋折罫線は、前記正面折罫線の他端から前記外蓋片の対角の他方の先端角部に向かって延びており、
前記内蓋片の内側には、前記背面折罫線の一端から斜めに延びる内蓋折罫線が設けられ、
組み立て状態で、前記外蓋片の先端側部分が前記内蓋片に糊付けされ、前記外蓋折罫線が前記内蓋折罫線に重なり、
前記外蓋片の外面を内側に押し込んで前記外蓋破断線を破断させ、前記外蓋破断線の破断した箇所を広げるように前記筒状体の角部を対角方向に押し込むことによって、前記外蓋折罫線と前記内蓋折罫線が内向きに各々折れ曲がり、前記筒状体が平坦に折り畳まれ、前記筒状体の中に前記外蓋片及び前記内蓋片が収容されることを特徴とする包装用箱。
【請求項２】
前記外蓋片の内側には、前記外蓋破断線と第一及び第二外蓋折罫線とが設けられ、前記外蓋破断線は、前記正面折罫線に間隔を空けて対向する主部と、前記主部の一端から鈍角で斜めに突き出て前記正面折罫線の一端に達する第一斜部と、前記主部の他端から鈍角で斜めに突き出て前記外蓋片の一方の先端側角部に達する第二斜部とを有し、前記第一外蓋折罫線は、前記主部の前記一端から鈍角で斜めに突き出て前記外蓋片の他方の先端角部に向かって延びており、前記第二外蓋折罫線は、前記主部の前記他端から鈍角で斜めに突き出て前記正面折罫線の他端に向けて延びており、
組み立て状態で、前記外蓋片の、前記主部と前記第一及び第二斜部より先端側部分が前記内蓋片に糊付けされ、前記第一外蓋折罫線が前記内蓋折罫線に重なり、
前記外蓋片の外面を内側に押し込んで前記外蓋破断線を破断させ、前記外蓋破断線の破断した箇所を広げるように、前記外蓋片の前記外蓋破断線の両端が位置した対角どうしを互いに近づけるよう前記筒状体の角部を対角方向に押し込むことによって、前記第一及び第二外蓋折罫線と前記内蓋折罫線が内向きに各々折れ曲がり、前記筒状体が平坦に折り畳まれ、前記筒状体の中に前記外蓋片及び前記内蓋片が収容される請求項１記載の包装用箱。
【請求項３】
組み立て状態で、前記外蓋片の前記主部は、前記筒状体の開口を前記正面折罫線と平行に２分割する位置に配置され、前記第一斜部、前記第二斜部、前記第一外蓋折罫線及び第二外蓋折罫線は、前記主部から１３５度の角度で斜めに突き出ている請求項２記載の包装用箱。
【請求項４】
前記２つの側面板には、前記連接方向と平行な端縁にサイドフラップが側面折罫線を介して各々延設され、
組み立て状態で、２つの前記サイドフラップは、前記筒状体の開口端側に倒れて前記内蓋片の内面に重なり、前記第一斜部が対向する方の前記サイドフラップは、前記背面板に近い側の端縁が、当該サイドフラップの先端に近くなるほど前記背面板から離れるように傾斜し、前記第二斜部が対向する方の前記サイドフラップは、前記正面板に近い側の端縁が、当該サイドフラップの先端に近くなるほど前記正面板から離れるように傾斜し、
前記筒状体が平坦に折り畳まれると、前記筒状体の中に２つの前記サイドフラップが収容される請求項１，２又は３記載の包装用箱。
【発明の詳細な説明】
【技術分野】
【０００１】
この発明は、シールエンドカートン型の包装用箱に関し、特に、廃棄時に使用される解体用の破断線が設けられている易廃棄機能付きの包装用箱に関する。
【背景技術】
【０００２】
従来から、商品を収容して搬送し店頭に陳列等するための包装用箱として、一枚の箱体形成片を立体的に組み立てたシールエンドカートン型の包装用箱が使用されている。
【０００３】
従来、例えば特許文献１に開示されているように、筒状体（角筒状の周壁）を形成する正面板、一対の側面板及び背面板を有し、背面板の下端に中底板が延設され、正面板の下端に外底板が延設され、一対の側面板の下端に内底フラップが各々延設され、筒状体の開口を塞ぐように一対の内底フラップを倒し、内底板を内底フラップに重ね、外底板を内底板に重ねて糊付けし、筒状体の開口を閉鎖したシールエンドカートンが開示されている。このシールエンドカートンは、外底板の基部両端間に解体用の切目線が入れられ、一対の内底フラップには、中底板の基部寄りの部分に角部から斜め方向に延びる谷折線が入れられている。
【０００４】
このシールエンドカートンは、廃棄に際し、天面が開口した状態で、正面板と背面板を互いに接近する方向へ押圧しつつ、左右いずれかの方向にずらして押し潰す操作を行うことによって、解体用の切目線が切断され、谷折線に沿って内底フラップが折れ曲がり、嵩張らない折り畳み状態に解体することができる。
【先行技術文献】
【特許文献】
【０００５】
【特許文献１】特開２０１６−１９３７６０号公報
【発明の概要】
【発明が解決しようとする課題】
【０００６】
しかし、特許文献１のシールエンドカートンは、解体して折り畳むと、外底板、内底板及び内底フラップが筒状体の下端から外に飛び出した状態になるため、廃棄する箱体が嵩張り、よりコンパクトな折り畳み状態で廃棄可能な包装用箱が求められていた。
【０００７】
この発明は、上記背景技術に鑑みて成されたものであり、簡単な操作でコンパクトな折り畳み状態に解体することができる包装用箱を提供することを目的とする。
【課題を解決するための手段】
【０００８】
この発明は、一枚の箱体形成片から成り、前記箱体形成片には、正面板、背面板及び２つの側面板が互いに平行な折罫線を介して連接され、前記正面板には、前記連接方向と平行な端縁に外蓋片が正面折罫線を介して延設され、前記背面板には、前記連接方向と平行な端縁に内蓋片が背面折罫線を介して延設され、組み立て状態で、前記正面板、前記背面板、及び前記２つの側面板により断面矩形の筒状体が形成され、前記筒状体の開口端側に前記内蓋片が倒れ、前記外蓋片が前記内蓋片に重なり、前記外蓋片が前記内蓋片に糊付けされて前記筒状体の開口端が閉鎖されている包装用箱であって、前記外蓋片の内側には、外蓋破断線と外蓋折罫線が設けられ、前記外蓋破断線は、前記正面折罫線の一端から前記外蓋片の対角の一方の先端側角部に達し、前記外蓋折罫線は、前記正面折罫線の他端から前記外蓋片の対角の他方の先端角部に向かって延びており、前記内蓋片の内側には、前記背面折罫線の一端から斜めに延びる内蓋折罫線が設けられ、組み立て状態で、前記外蓋片の先端側部分が前記内蓋片に糊付けされ、前記外蓋折罫線が前記内蓋折罫線に重なり、前記外蓋片の外面を内側に押し込んで前記外蓋破断線を破断させ、前記外蓋破断線の破断した箇所を広げるように前記筒状体の角部を対角方向に押し込むことによって、前記外蓋折罫線と前記内蓋折罫線が内向きに各々折れ曲がり、前記筒状体が平坦に折り畳まれ、前記筒状体の中に前記外蓋片及び前記内蓋片が収容される包装用箱である。
【０００９】
特に、前記外蓋片の内側には、外蓋破断線と第一及び第二外蓋折罫線とが設けられ、前記外蓋破断線は、前記正面折罫線に間隔を空けて対向する主部と、前記主部の一端から鈍角で斜めに突き出て前記正面折罫線の一端に達する第一斜部と、前記主部の他端から鈍角で斜めに突き出て前記外蓋片の一方の先端側角部に達する第二斜部とを有し、前記第一外蓋折罫線は、前記主部の前記一端から鈍角で斜めに突き出て前記外蓋片の他方の先端角部に向かって延びており、前記第二外蓋折罫線は、前記主部の前記他端から鈍角で斜めに突き出て前記正面折罫線の他端に向けて延びており、前記内蓋片の内側には、前記背面折罫線の一端から斜めに延びる内蓋折罫線が設けられているものである。そして、組み立て状態で、前記外蓋片の、前記主部と前記第一及び第二斜部より先端側部分が前記内蓋片に糊付けされ、前記第一外蓋折罫線が前記内蓋折罫線に重なり、前記外蓋片の外面を内側に押し込んで前記外蓋破断線を破断させ、前記外蓋破断線の破断した箇所を広げるように、前記外蓋片の前記外蓋破断線の両端が位置した対角どうしを互いに近づけるよう前記筒状体の角部を対角方向に押し込むことによって、前記第一及び第二外蓋折罫線と前記内蓋折罫線が内向きに各々折れ曲がり、前記筒状体が平坦に折り畳まれ、前記筒状体の中に前記外蓋片及び前記内蓋片が収容される。
【００１０】
また、組み立て状態で、前記外蓋片の前記主部は、前記筒状体の開口を前記正面折罫線と平行に２分割する位置に配置され、前記第一斜部、前記第二斜部、前記第一外蓋折罫線及び第二外蓋折罫線は、前記主部から１３５度の角度で斜めに突き出ている構成であることが好ましい。
【００１１】
前記２つの側面板には、前記連接方向と平行な端縁にサイドフラップが側面折罫線を介して各々延設され、組み立て状態で、２つの前記サイドフラップは、前記筒状体の開口端側に倒れて前記内蓋片の内面に重なり、前記第一斜部が対向する方の前記サイドフラップは、前記背面板に近い側の端縁が、当該サイドフラップの先端に近くなるほど前記背面板から離れるように傾斜し、前記第二斜部が対向する方の前記サイドフラップは、前記正面板に近い側の端縁が、当該サイドフラップの先端に近くなるほど前記正面板から離れるように傾斜し、前記筒状体が平坦に折り畳まれると、前記筒状体の中に２つの前記サイドフラップが収容される構成にしてもよい。
【発明の効果】
【００１２】
この発明の包装用箱は、簡単な操作でフラップ等の突出が少なく、コンパクトな折り畳み状態に解体することができ、使用後の廃棄処理が容易なものである。
【図面の簡単な説明】
【００１３】
【図１】この発明の一実施形態の包装用箱を形成する箱体形成片を表面側から見た展開図である。
【図２】この実施形態の包装用箱の組み立て状態を示す図であって、この包装用箱を底面側から見た斜視図（ａ）、天面側から見た斜視図（ｂ）である。
【図３】図２（ａ）の底面を構成している外蓋片及び内蓋片を示す拡大図である。
【図４】この実施形態の包装用箱の底面を解体する操作を示す図（ａ）、（ｂ）である。
【図５】この実施形態の包装用箱を解体した後の折り畳み状態を示す図である。
【発明を実施するための形態】
【００１４】
以下、この発明の包装用箱の一実施形態について、図面に基づいて説明する。この発明の一実施形態の包装用箱１０は、図２（ａ）、（ｂ）に示すように、矩形の筒状体の両端部（天面側及び底面側）が各々閉鎖されたシールエンドカートン型の箱体であり、図１に示す箱体形成片１２を組み立てて形成される。
【００１５】
箱体形成片１２は、厚紙等の一枚のブランクシートを打ち抜いて形成され、第一の側面板１４、正面板１６、第二の側面板１８、背面板２０が順に連接されている。さらに、背面板２０の側方には、組み立て状態で第一の側面板１４の裏面側に対向して糊付される糊付け片２２が連接されている。第一の側面板１４及び第二の側面板１８の連接方向長さは短くて互いにほぼ等しく、正面板１６及び背面板２０の連接方向長さは長くて互いにほぼ等しい。第一の側面板１４、正面板１６、第二の側面板１８、背面板２０、糊付け片２２は、各々折罫線２４，２６，２８，３０で区切られている。
【００１６】
正面板１６の底面側の端部には、略矩形の外蓋片３２が延設され、正面折罫線３４で正面板１６と区切られている。外蓋片３２の延設長さは、第一の側面板１４の連接方向長さと同じか僅かに短い。さらに、外蓋片３２の内側には、外蓋破断線３６と第一及び第二外蓋折罫線３８，４０とが設けられている。
【００１７】
外蓋破断線３６は、正面折罫線３４に間隔を空けて対向する主部３６ａと、主部３６ａの一端から鈍角で斜めに突き出て正面折罫線３４の一端に達する第一斜部３６ｂと、主部３６ａの他端から鈍角で斜めに突き出て外蓋片３２の一方の先端側角部に達する第二斜部３６ｃとで構成されている。第一外蓋折罫線３８は、主部３６ａの一端（第一斜部３６ｂ側の一端）から鈍角で斜めに突き出て外蓋片３２の他方の先端角部に向かって延びており、第二外蓋折罫線４０は、主部３６ａの他端（第二斜部３６ｃ側の一端）から鈍角で斜めに突き出て正面折罫線３４の他端に向けて延びている。
【００１８】
また、正面板１６の天面側の端部にも、外蓋片３２とほぼ同外形の外蓋片４２が延設され、折罫線４４で正面板１６と区切られている。
【００１９】
正面板１６の天面側の端部には、開封用破断線４６が設けられている。開封用破断線４６は、その両端部が折罫線４４の両端部と重なり、中央部が正面板１６内に入るように台形状に形成されている。開封用破断線４６と折罫線４４で囲まれた部分は、組み立て状態の包装用箱１０を開封する時に押圧する押圧部４８となる。
【００２０】
背面板２０の底面側の端部には、略矩形の内蓋片５０が延設され、背面折罫線５２で背面板２０と区切られている。内蓋片５０の延設長さは、第一の側面板１４の連接方向長さの約４／５で、外蓋片３２よりも少し短い。内蓋片５０の内側には、背面折罫線３２の一端（第二の側面板１８側の一端）から斜めに延びる内蓋折罫線５４が設けられ、内蓋片５０が本体部５０ａと角部５０ｂに区切られている。背面板２０の天面側の端部にも、内蓋片５０とほぼ同外形の内蓋片５６が延設され、折罫線５８で背面板２０と区切られている。
【００２１】
第一の側面板１４の底面側の端部にはサイドフラップ６０が延設され、側面折罫線６２で第一の側面板１４と区切られている。サイドフラップ６０の延設長さは、正面板１６の連接方向長さの1/2よりも少し短い。サイドフラップ６０の外蓋片３２側の端縁６０ａは、サイドフラップ６０の先端に近くなるほど外蓋片３２から離れるように傾斜している。第一の側面板１４の天面側の端部にも、台形状のサイドフラップ６４が延設され、折罫線６６で第一の側面板１４と区切られている。サイドフラップ６４の延設長さは、サイドフラップ６０とほぼ同じである。
【００２２】
第二の側面板１８の底面側の端部にはサイドフラップ６８が延設され、側面折罫線７０で第二の側面板１８と区切られている。サイドフラップ６８の延設長さは、正面板１６の連接方向長さの１／２よりも少し短い。サイドフラップ６８の内蓋片５０側の端縁６８ａは、サイドフラップ６８の先端に近くなるほど内蓋片５０から離れるように傾斜している。第二の側面板１８の天面側の端部にも、台形状のサイドフラップ７２が延設され、折罫線７４で第二の側面板１８と区切られている。サイドフラップ７２の延設長さは、サイドフラップ６８とほぼ同じである。
【００２３】
次に、箱体形成片１２の組み立て方法の一例を説明する。図１は箱体形成片１２を表面側から見たものであり、以下、箱体形成片１２の表面側が凸になる折り方を正折り、裏面側が凸になる折り方を逆折りと称する。
【００２４】
まず、糊付け片２２の表面に糊を塗布し、折罫線２８を正折りし、さらに折罫線２４を正折りして糊付け片２２の表面と第一の側面板１４の裏面を糊付けする。箱体形成片１２は、この折り畳み状態で包装用箱１０の製造工場から出荷される。
【００２５】
次に、商品を収容し包装する工場等において、折罫線２４，２６，２８，３０を各々９０度になるように正折りし、四角形の筒状体７６を形成する。そして、底面側のサイドフラップ６０，６８を各々側面折罫線６２，７０で９０度に正折りし、内蓋片５０を背面折罫線５２で９０度に正折りし、外蓋片３２の裏面の、主部３６ａと第二斜部３６ｃと第一外蓋折罫線３８とで囲まれた部分に糊を塗布した後、外蓋片３２を正面折罫線３４で９０度に正折りし、外蓋片３２を内蓋片５０に重ねて糊付けする。この作業により、筒状体７６の底面側の端部が閉鎖される。この後、商品を筒状体７６の天面側の開放している端部から内側に挿入する。
【００２６】
この後、天面側のサイドフラップ６４，７２を各々折罫線６６，７４で９０度に正折りし、内蓋片５６を折罫線５８で９０度に正折りし、外蓋片４２の裏面に糊７８を塗布した後、外蓋片４２を折罫線４４で９０度に正折りし、外蓋片４２を内蓋片５６に重ねて糊付けする。この作業により、筒状体７６の天面側の端部も閉鎖されて図２（ａ）、（ｂ）に示す組み立て状態となり、商品の包装作業が終了する。
【００２７】
なお、商品を収容する順序は、上記以外に、先に上述のように天面側の外蓋片４２を内蓋片５６に糊付けして閉鎖し、底面側から商品を収容した後、底面側を上述のように閉鎖してもよい。
【００２８】
組み立て状態では、図３に示すように、底面側の外蓋片３２の第一外蓋折罫線３８が内蓋片５０の内蓋折罫線５４にほぼ重なる。また、図３には示していないが、外蓋片３２の、第一斜部３６ｂが形成された領域にサイドフラップ６８が対向し、サイドフラップ６８の端縁６８ａは、サイドフラップ６８の先端に近くなるほど背面板２０から離れるように傾斜して配置される。また、外蓋片３２の、第二斜部３６ｃが形成された領域にサイドフラップ６０が対向し、サイドフラップ６０の端縁６０ａは、サイドフラップ６０の先端に近くなるほど正面板１６から離れるように傾斜して配置される。
【００２９】
包装用箱１０の天面側を開封して商品を取り出す操作は、以下のように行う。まず、正面板１６の押圧部４８を指で押し込んで開封用破断線４６を破断させ、押圧部４８に指を掛けたまま上方に引き上げて内蓋片５６及び外蓋片４２を開く。このとき、押圧部４８は折罫線４４を介して外蓋片４２と連続し、且つ、外蓋片４２が内蓋片５６に糊付されているので、筒状体７６から分離する部分がなく、ゴミ等は生じない。そしてサイドフラップ６４，７２を引き上げると、筒状体７６の天面側の端部が開放し、中の商品を取り出すことができる。
【００３０】
使用後、包装用箱１０を廃棄する時は、筒状体７６の天面側を開放した状態で、底面側を解体する。まず、外蓋片３２の外面の中央部を内側に少し押し込んで外蓋破断線３６の一部又は全部を破断させ、破断した箇所を広げるように筒状体７６の角部を押し込む。例えば、図４（ａ）に示すように、折罫線２６の角部と折罫線３０の角部に指を掛け、この角部同士を近づけるように押圧するとよい。すると、外蓋破断線３６の全部が確実に破断し、破断折罫線２８の角部から延びている第一外蓋折罫線３８と内蓋折罫線５４が同時に逆折りされ、折罫線２４の角部から延びている第二外蓋折罫線４０が逆折りされる。
【００３１】
このとき、サイドフラップ６８は、内蓋片５０の角部５６ｂに押されて側面折罫線７０で深く正折りされ、サイドフラップ６０も内蓋片５０の本体部５０ａ及び外蓋片３２の一部に押されて側面折罫線６２で深く正折りされる。また、サイドフラップ６８には傾斜した端縁６８ａが設けてあるので、第二の側面板１８が背面板２０に折り重なる動作を妨げず、サイドフラップ６０にも傾斜した端縁６０ａが設けてあるので、第一の側面板１４が正面板１６に折り重なる動作を妨げない。そして、図４（ｂ）と図５に示すように筒状体７６がほぼ平坦に折り畳まれ、筒状体７６の中に外蓋片３２、内蓋片５０及びサイドフラップ６０，６８が収容される。
【００３２】
底面側を解体する操作がスムーズに行われるようにするためには、組み立て状態で、外蓋片３２の主部３２ａは、筒状体７６の開口を正面折罫線３４と平行に２分割する位置に配置されるように配置され、第一斜部３６ｂ、第二斜部３６ｃ、第一外蓋折罫線３８及び第二外蓋折罫線４０は、主部３６ａから１３５度の角度で斜めに突き出ていることが好ましい。このような構造にすることによって、解体の操作がスムーズになるだけでなく、筒状体７６が平坦に折り畳まれた状態で、外蓋片３２及び内蓋片５０が筒状体７６の中に綺麗に収容される。
【００３３】
以上説明したように、包装用箱１０は、非常にコンパクトな折り畳み状態に解体することができ、解体の操作も簡単なので、使用後の廃棄が容易である。
【００３４】
なお、この発明の包装用箱は上記実施形態に限定されるものではない。例えば、外蓋片３２と内蓋片５０の糊付けは、外蓋片３２の先端側部分が内蓋片５０に糊付けされていればよく、外蓋破断線３６の主部３６ａと第一及び第二斜部３６ｂ，３６ｃより先端側部分が内蓋片５０に糊付けされているとよい。さらに、主部３６ａと第二斜部３６ｃ及び第一外蓋折罫線３８で囲まれた部分が内蓋片５０に糊付けされていると、押し込みやすく操作性が良い。その他、上記外蓋片３２の構造（外形、外蓋破断線３６のレイアウト、第一及び第二外蓋折罫線３８，４０のレイアウト等）は一例であり、上述した解体操作によって支障なく折り畳むことができれば、上記と異なる構造に変更してもよい。上記サイドフラップ６０，６８の端縁６０ａ．６８ａの形状についても同様である。
【００３５】
また、筒状体の４つの面は、どの面を正面板及び背面板にしてもよい。この発明では、正面折罫線を介して外蓋片が延設された面を正面板と定義しているが、この正面板は、箱体の表示上又は展示上の正面である必要はない。その他、箱体の大きさ、素材、各部材の形状等は適宜変更可能である。また、天面側を閉鎖する構造は、用途に合わせて自由に変更することができる。
【符号の説明】
【００３６】
１０  包装用箱
１２  箱体形成片
１４  第一の側面板
１６  正面板
１８  第二の側面板
２０  背面板
３２  外蓋片（底面側）
３４  正面折罫線
３６  外蓋破断線
３６ａ  主部
３６ｂ  第一斜部
３６ｃ  第二斜部
３８  第一外蓋折罫線
４０  第二外蓋折罫線
５０  内蓋片（底面側）
５２  背面折罫線
５４  内蓋折罫線
６０，６８  サイドフラップ（底面側）
６０ａ，６８ａ  端縁
６２，７０  側面折罫線
７６  筒状体
７８  糊
【図１】
2019116292.tif 000003
【図２】
2019116292.tif 000004
【図３】
2019116292.tif 000005
【図４】
2019116292.tif 000006
【図５】
2019116292.tif 000007
【手続補正書】
【提出日】平成31年2月12日(2019.2.12)
【手続補正１】
【補正対象書類名】明細書
【補正対象項目名】全文
【補正方法】変更
【補正の内容】
【発明の詳細な説明】
【技術分野】
【０００１】
この発明は、廃棄時に使用される解体用の破断線が設けられている易廃棄機能付きの包装用箱に関する。
【背景技術】
【０００２】
従来から、商品を収容して搬送し店頭に陳列等するための包装用箱として、一枚の箱体形成片を立体的に組み立てたシールエンドカートン型の包装用箱が使用されている。
【０００３】
従来、例えば特許文献１に開示されているように、筒状体（角筒状の周壁）を形成する正面板、一対の側面板及び背面板を有し、背面板の下端に中底板が延設され、正面板の下端に外底板が延設され、一対の側面板の下端に内底フラップが各々延設され、筒状体の開口を塞ぐように一対の内底フラップを倒し、内底板を内底フラップに重ね、外底板を内底板に重ねて糊付けし、筒状体の開口を閉鎖したシールエンドカートンが開示されている。このシールエンドカートンは、外底板の基部両端間に解体用の切目線が入れられ、一対の内底フラップには、中底板の基部寄りの部分に角部から斜め方向に延びる谷折線が入れられている。
【０００４】
このシールエンドカートンは、廃棄に際し、天面が開口した状態で、正面板と背面板を互いに接近する方向へ押圧しつつ、左右いずれかの方向にずらして押し潰す操作を行うことによって、解体用の切目線が切断され、谷折線に沿って内底フラップが折れ曲がり、嵩張らない折り畳み状態に解体することができる。
【先行技術文献】
【特許文献】
【０００５】
【特許文献１】特開２０１６−１９３７６０号公報
【発明の概要】
【発明が解決しようとする課題】
【０００６】
しかし、特許文献１のシールエンドカートンは、解体して折り畳むと、外底板、内底板及び内底フラップが筒状体の下端から外に飛び出した状態になるため、廃棄する箱体が嵩張り、よりコンパクトな折り畳み状態で廃棄可能な包装用箱が求められていた。
【０００７】
この発明は、上記背景技術に鑑みて成されたものであり、簡単な操作でコンパクトな折り畳み状態に解体することができる包装用箱を提供することを目的とする。
【課題を解決するための手段】
【０００８】
この発明は、一枚の箱体形成片から成り、前記箱体形成片には、正面板、背面板及び２つの側面板が互いに平行な折罫線を介して連接され、前記正面板には、前記連接方向と平行な端縁に外蓋片が正面折罫線を介して延設され、前記背面板には、前記連接方向と平行な端縁に内蓋片が背面折罫線を介して延設され、組み立て状態で、前記正面板、前記背面板、及び前記２つの側面板により断面矩形の筒状体が形成され、前記筒状体の開口端側に前記内蓋片が倒れ、前記外蓋片が前記内蓋片に重なり、前記外蓋片が前記内蓋片に糊付けされて前記筒状体の開口端が閉鎖されている包装用箱であって、前記外蓋片の内側には、外蓋破断線と外蓋折罫線が設けられ、前記外蓋破断線は、前記正面折罫線の一端から前記外蓋片の対角の一方の先端側角部に達し、前記外蓋折罫線は、前記正面折罫線の他端から前記外蓋片の対角の他方の先端角部に向かって延びており、前記内蓋片の内側には、前記背面折罫線の一端から斜めに延びる内蓋折罫線が設けられ、組み立て状態で、前記外蓋片の先端側部分が前記内蓋片に糊付けされ、前記外蓋折罫線が前記内蓋折罫線に重なり、前記外蓋片の外面を内側に押し込んで前記外蓋破断線を破断させ、前記外蓋破断線の破断した箇所を広げるように前記筒状体の角部を対角方向に押し込むことによって、前記外蓋折罫線と前記内蓋折罫線が内向きに各々折れ曲がり、前記筒状体が平坦に折り畳まれ、前記筒状体の中に前記外蓋片及び前記内蓋片が収容される包装用箱である。
【０００９】
特に、前記外蓋片の内側には、外蓋破断線と第一及び第二外蓋折罫線とが設けられ、前記外蓋破断線は、前記正面折罫線に間隔を空けて対向する主部と、前記主部の一端から鈍角で斜めに突き出て前記正面折罫線の一端に達する第一斜部と、前記主部の他端から鈍角で斜めに突き出て前記外蓋片の一方の先端側角部に達する第二斜部とを有し、前記第一外蓋折罫線は、前記主部の前記一端から鈍角で斜めに突き出て前記外蓋片の他方の先端角部に向かって延びており、前記第二外蓋折罫線は、前記主部の前記他端から鈍角で斜めに突き出て前記正面折罫線の他端に向けて延びており、前記内蓋片の内側には、前記背面折罫線の一端から斜めに延びる内蓋折罫線が設けられているものである。そして、組み立て状態で、前記外蓋片の、前記主部と前記第一及び第二斜部より先端側部分が前記内蓋片に糊付けされ、前記第一外蓋折罫線が前記内蓋折罫線に重なり、前記外蓋片の外面を内側に押し込んで前記外蓋破断線を破断させ、前記外蓋破断線の破断した箇所を広げるように、前記外蓋片の前記外蓋破断線の両端が位置した対角どうしを互いに近づけるよう前記筒状体の角部を対角方向に押し込むことによって、前記第一及び第二外蓋折罫線と前記内蓋折罫線が内向きに各々折れ曲がり、前記筒状体が平坦に折り畳まれ、前記筒状体の中に前記外蓋片及び前記内蓋片が収容される。
【００１０】
また、組み立て状態で、前記外蓋片の前記主部は、前記筒状体の開口を前記正面折罫線と平行に２分割する位置に配置され、前記第一斜部、前記第二斜部、前記第一外蓋折罫線及び第二外蓋折罫線は、前記主部から１３５度の角度で斜めに突き出ている構成であることが好ましい。
【００１１】
前記２つの側面板には、前記連接方向と平行な端縁にサイドフラップが側面折罫線を介して各々延設され、組み立て状態で、２つの前記サイドフラップは、前記筒状体の開口端側に倒れて前記内蓋片の内面に重なり、前記第一斜部が対向する方の前記サイドフラップは、前記背面板に近い側の端縁が、当該サイドフラップの先端に近くなるほど前記背面板から離れるように傾斜し、前記第二斜部が対向する方の前記サイドフラップは、前記正面板に近い側の端縁が、当該サイドフラップの先端に近くなるほど前記正面板から離れるように傾斜し、前記筒状体が平坦に折り畳まれると、前記筒状体の中に２つの前記サイドフラップが収容される構成にしてもよい。
また、正面板、背面板及び２つの側面板が互いに平行な折罫線を介して連接され、前記正面板には、前記連接方向と平行な端縁に蓋片が正面折罫線を介して延設され、組み立て状態で、前記正面板、前記背面板、及び前記２つの側面板により断面矩形の筒状体が形成され、前記蓋片により前記筒状体の開口端が閉鎖されている包装用箱において、前記蓋片の内側には、蓋破断線と蓋折罫線が設けられ、前記蓋破断線は、前記正面折罫線の一端から前記蓋片の対角の一方の先端側角部に達し、前記蓋折罫線は、前記正面折罫線の他端から前記蓋片の対角の他方の先端角部に向かって延びており、前記蓋片の外面を内側に押し込んで前記蓋破断線を破断させ、前記蓋破断線の破断した箇所を広げるように前記筒状体の角部を対角方向に押し込むことによって、前記蓋折罫線が内向きに各々折れ曲がり、前記筒状体が平坦に折り畳まれ、前記筒状体の中に前記蓋片が収容される包装用箱でもよい。
【発明の効果】
【００１２】
この発明の包装用箱は、簡単な操作でフラップ等の突出が少なく、コンパクトな折り畳み状態に解体することができ、使用後の廃棄処理が容易なものである。
【図面の簡単な説明】
【００１３】
【図１】この発明の一実施形態の包装用箱を形成する箱体形成片を表面側から見た展開図である。
【図２】この実施形態の包装用箱の組み立て状態を示す図であって、この包装用箱を底面側から見た斜視図（ａ）、天面側から見た斜視図（ｂ）である。
【図３】図２（ａ）の底面を構成している外蓋片及び内蓋片を示す拡大図である。
【図４】この実施形態の包装用箱の底面を解体する操作を示す図（ａ）、（ｂ）である。
【図５】この実施形態の包装用箱を解体した後の折り畳み状態を示す図である。
【発明を実施するための形態】
【００１４】
以下、この発明の包装用箱の一実施形態について、図面に基づいて説明する。この発明の一実施形態の包装用箱１０は、図２（ａ）、（ｂ）に示すように、矩形の筒状体の両端部（天面側及び底面側）が各々閉鎖されたシールエンドカートン型の箱体であり、図１に示す箱体形成片１２を組み立てて形成される。
【００１５】
箱体形成片１２は、厚紙等の一枚のブランクシートを打ち抜いて形成され、第一の側面板１４、正面板１６、第二の側面板１８、背面板２０が順に連接されている。さらに、背面板２０の側方には、組み立て状態で第一の側面板１４の裏面側に対向して糊付される糊付け片２２が連接されている。第一の側面板１４及び第二の側面板１８の連接方向長さは短くて互いにほぼ等しく、正面板１６及び背面板２０の連接方向長さは長くて互いにほぼ等しい。第一の側面板１４、正面板１６、第二の側面板１８、背面板２０、糊付け片２２は、各々折罫線２４，２６，２８，３０で区切られている。
【００１６】
正面板１６の底面側の端部には、略矩形の外蓋片３２が延設され、正面折罫線３４で正面板１６と区切られている。外蓋片３２の延設長さは、第一の側面板１４の連接方向長さと同じか僅かに短い。さらに、外蓋片３２の内側には、外蓋破断線３６と第一及び第二外蓋折罫線３８，４０とが設けられている。
【００１７】
外蓋破断線３６は、正面折罫線３４に間隔を空けて対向する主部３６ａと、主部３６ａの一端から鈍角で斜めに突き出て正面折罫線３４の一端に達する第一斜部３６ｂと、主部３６ａの他端から鈍角で斜めに突き出て外蓋片３２の一方の先端側角部に達する第二斜部３６ｃとで構成されている。第一外蓋折罫線３８は、主部３６ａの一端（第一斜部３６ｂ側の一端）から鈍角で斜めに突き出て外蓋片３２の他方の先端角部に向かって延びており、第二外蓋折罫線４０は、主部３６ａの他端（第二斜部３６ｃ側の一端）から鈍角で斜めに突き出て正面折罫線３４の他端に向けて延びている。
【００１８】
また、正面板１６の天面側の端部にも、外蓋片３２とほぼ同外形の外蓋片４２が延設され、折罫線４４で正面板１６と区切られている。
【００１９】
正面板１６の天面側の端部には、開封用破断線４６が設けられている。開封用破断線４６は、その両端部が折罫線４４の両端部と重なり、中央部が正面板１６内に入るように台形状に形成されている。開封用破断線４６と折罫線４４で囲まれた部分は、組み立て状態の包装用箱１０を開封する時に押圧する押圧部４８となる。
【００２０】
背面板２０の底面側の端部には、略矩形の内蓋片５０が延設され、背面折罫線５２で背面板２０と区切られている。内蓋片５０の延設長さは、第一の側面板１４の連接方向長さの約４／５で、外蓋片３２よりも少し短い。内蓋片５０の内側には、背面折罫線３２の一端（第二の側面板１８側の一端）から斜めに延びる内蓋折罫線５４が設けられ、内蓋片５０が本体部５０ａと角部５０ｂに区切られている。背面板２０の天面側の端部にも、内蓋片５０とほぼ同外形の内蓋片５６が延設され、折罫線５８で背面板２０と区切られている。
【００２１】
第一の側面板１４の底面側の端部にはサイドフラップ６０が延設され、側面折罫線６２で第一の側面板１４と区切られている。サイドフラップ６０の延設長さは、正面板１６の連接方向長さの1/2よりも少し短い。サイドフラップ６０の外蓋片３２側の端縁６０ａは、サイドフラップ６０の先端に近くなるほど外蓋片３２から離れるように傾斜している。第一の側面板１４の天面側の端部にも、台形状のサイドフラップ６４が延設され、折罫線６６で第一の側面板１４と区切られている。サイドフラップ６４の延設長さは、サイドフラップ６０とほぼ同じである。
【００２２】
第二の側面板１８の底面側の端部にはサイドフラップ６８が延設され、側面折罫線７０で第二の側面板１８と区切られている。サイドフラップ６８の延設長さは、正面板１６の連接方向長さの１／２よりも少し短い。サイドフラップ６８の内蓋片５０側の端縁６８ａは、サイドフラップ６８の先端に近くなるほど内蓋片５０から離れるように傾斜している。第二の側面板１８の天面側の端部にも、台形状のサイドフラップ７２が延設され、折罫線７４で第二の側面板１８と区切られている。サイドフラップ７２の延設長さは、サイドフラップ６８とほぼ同じである。
【００２３】
次に、箱体形成片１２の組み立て方法の一例を説明する。図１は箱体形成片１２を表面側から見たものであり、以下、箱体形成片１２の表面側が凸になる折り方を正折り、裏面側が凸になる折り方を逆折りと称する。
【００２４】
まず、糊付け片２２の表面に糊を塗布し、折罫線２８を正折りし、さらに折罫線２４を正折りして糊付け片２２の表面と第一の側面板１４の裏面を糊付けする。箱体形成片１２は、この折り畳み状態で包装用箱１０の製造工場から出荷される。
【００２５】
次に、商品を収容し包装する工場等において、折罫線２４，２６，２８，３０を各々９０度になるように正折りし、四角形の筒状体７６を形成する。そして、底面側のサイドフラップ６０，６８を各々側面折罫線６２，７０で９０度に正折りし、内蓋片５０を背面折罫線５２で９０度に正折りし、外蓋片３２の裏面の、主部３６ａと第二斜部３６ｃと第一外蓋折罫線３８とで囲まれた部分に糊を塗布した後、外蓋片３２を正面折罫線３４で９０度に正折りし、外蓋片３２を内蓋片５０に重ねて糊付けする。この作業により、筒状体７６の底面側の端部が閉鎖される。この後、商品を筒状体７６の天面側の開放している端部から内側に挿入する。
【００２６】
この後、天面側のサイドフラップ６４，７２を各々折罫線６６，７４で９０度に正折りし、内蓋片５６を折罫線５８で９０度に正折りし、外蓋片４２の裏面に糊７８を塗布した後、外蓋片４２を折罫線４４で９０度に正折りし、外蓋片４２を内蓋片５６に重ねて糊付けする。この作業により、筒状体７６の天面側の端部も閉鎖されて図２（ａ）、（ｂ）に示す組み立て状態となり、商品の包装作業が終了する。
【００２７】
なお、商品を収容する順序は、上記以外に、先に上述のように天面側の外蓋片４２を内蓋片５６に糊付けして閉鎖し、底面側から商品を収容した後、底面側を上述のように閉鎖してもよい。
【００２８】
組み立て状態では、図３に示すように、底面側の外蓋片３２の第一外蓋折罫線３８が内蓋片５０の内蓋折罫線５４にほぼ重なる。また、図３には示していないが、外蓋片３２の、第一斜部３６ｂが形成された領域にサイドフラップ６８が対向し、サイドフラップ６８の端縁６８ａは、サイドフラップ６８の先端に近くなるほど背面板２０から離れるように傾斜して配置される。また、外蓋片３２の、第二斜部３６ｃが形成された領域にサイドフラップ６０が対向し、サイドフラップ６０の端縁６０ａは、サイドフラップ６０の先端に近くなるほど正面板１６から離れるように傾斜して配置される。
【００２９】
包装用箱１０の天面側を開封して商品を取り出す操作は、以下のように行う。まず、正面板１６の押圧部４８を指で押し込んで開封用破断線４６を破断させ、押圧部４８に指を掛けたまま上方に引き上げて内蓋片５６及び外蓋片４２を開く。このとき、押圧部４８は折罫線４４を介して外蓋片４２と連続し、且つ、外蓋片４２が内蓋片５６に糊付されているので、筒状体７６から分離する部分がなく、ゴミ等は生じない。そしてサイドフラップ６４，７２を引き上げると、筒状体７６の天面側の端部が開放し、中の商品を取り出すことができる。
【００３０】
使用後、包装用箱１０を廃棄する時は、筒状体７６の天面側を開放した状態で、底面側を解体する。まず、外蓋片３２の外面の中央部を内側に少し押し込んで外蓋破断線３６の一部又は全部を破断させ、破断した箇所を広げるように筒状体７６の角部を押し込む。例えば、図４（ａ）に示すように、折罫線２６の角部と折罫線３０の角部に指を掛け、この角部同士を近づけるように押圧するとよい。すると、外蓋破断線３６の全部が確実に破断し、破断折罫線２８の角部から延びている第一外蓋折罫線３８と内蓋折罫線５４が同時に逆折りされ、折罫線２４の角部から延びている第二外蓋折罫線４０が逆折りされる。
【００３１】
このとき、サイドフラップ６８は、内蓋片５０の角部５６ｂに押されて側面折罫線７０で深く正折りされ、サイドフラップ６０も内蓋片５０の本体部５０ａ及び外蓋片３２の一部に押されて側面折罫線６２で深く正折りされる。また、サイドフラップ６８には傾斜した端縁６８ａが設けてあるので、第二の側面板１８が背面板２０に折り重なる動作を妨げず、サイドフラップ６０にも傾斜した端縁６０ａが設けてあるので、第一の側面板１４が正面板１６に折り重なる動作を妨げない。そして、図４（ｂ）と図５に示すように筒状体７６がほぼ平坦に折り畳まれ、筒状体７６の中に外蓋片３２、内蓋片５０及びサイドフラップ６０，６８が収容される。
【００３２】
底面側を解体する操作がスムーズに行われるようにするためには、組み立て状態で、外蓋片３２の主部３２ａは、筒状体７６の開口を正面折罫線３４と平行に２分割する位置に配置されるように配置され、第一斜部３６ｂ、第二斜部３６ｃ、第一外蓋折罫線３８及び第二外蓋折罫線４０は、主部３６ａから１３５度の角度で斜めに突き出ていることが好ましい。このような構造にすることによって、解体の操作がスムーズになるだけでなく、筒状体７６が平坦に折り畳まれた状態で、外蓋片３２及び内蓋片５０が筒状体７６の中に綺麗に収容される。
【００３３】
以上説明したように、包装用箱１０は、非常にコンパクトな折り畳み状態に解体することができ、解体の操作も簡単なので、使用後の廃棄が容易である。
【００３４】
なお、この発明の包装用箱は上記実施形態に限定されるものではない。例えば、外蓋片３２と内蓋片５０の糊付けは、外蓋片３２の先端側部分が内蓋片５０に糊付けされていればよく、外蓋破断線３６の主部３６ａと第一及び第二斜部３６ｂ，３６ｃより先端側部分が内蓋片５０に糊付けされているとよい。さらに、主部３６ａと第二斜部３６ｃ及び第一外蓋折罫線３８で囲まれた部分が内蓋片５０に糊付けされていると、押し込みやすく操作性が良い。その他、上記外蓋片３２の構造（外形、外蓋破断線３６のレイアウト、第一及び第二外蓋折罫線３８，４０のレイアウト等）は一例であり、上述した解体操作によって支障なく折り畳むことができれば、上記と異なる構造に変更してもよい。上記サイドフラップ６０，６８の端縁６０ａ．６８ａの形状についても同様である。
【００３５】
また、筒状体の４つの面は、どの面を正面板及び背面板にしてもよい。この発明では、正面折罫線を介して外蓋片が延設された面を正面板と定義しているが、この正面板は、箱体の表示上又は展示上の正面である必要はない。その他、箱体の大きさ、素材、各部材の形状等は適宜変更可能である。また、天面側を閉鎖する構造は、用途に合わせて自由に変更することができる。
【符号の説明】
【００３６】
１０  包装用箱
１２  箱体形成片
１４  第一の側面板
１６  正面板
１８  第二の側面板
２０  背面板
３２  外蓋片（底面側）
３４  正面折罫線
３６  外蓋破断線
３６ａ  主部
３６ｂ  第一斜部
３６ｃ  第二斜部
３８  第一外蓋折罫線
４０  第二外蓋折罫線
５０  内蓋片（底面側）
５２  背面折罫線
５４  内蓋折罫線
６０，６８  サイドフラップ（底面側）
６０ａ，６８ａ  端縁
６２，７０  側面折罫線
７６  筒状体
７８  糊
【手続補正２】
【補正対象書類名】特許請求の範囲
【補正対象項目名】全文
【補正方法】変更
【補正の内容】
【特許請求の範囲】
【請求項１】
正面板、背面板及び２つの側面板が互いに平行な折罫線を介して連接され、前記正面板には、前記連接方向と平行な端縁に外蓋片が正面折罫線を介して延設され、前記背面板には、前記連接方向と平行な端縁に内蓋片が背面折罫線を介して延設され、
組み立て状態で、前記正面板、前記背面板、及び前記２つの側面板により断面矩形の筒状体が形成され、前記筒状体の開口端側に前記内蓋片が倒れ、前記外蓋片が前記内蓋片に重なり、前記外蓋片が前記内蓋片に糊付けされて前記筒状体の開口端が閉鎖されている包装用箱において、
前記外蓋片の内側には、外蓋破断線と外蓋折罫線が設けられ、前記外蓋破断線は、前記正面折罫線の一端から前記外蓋片の対角の一方の先端側角部に達し、前記外蓋折罫線は、前記正面折罫線の他端から前記外蓋片の対角の他方の先端角部に向かって延びており、
前記内蓋片の内側には、前記背面折罫線の一端から斜めに延びる内蓋折罫線が設けられ、
組み立て状態で、前記外蓋片の先端側部分が前記内蓋片に糊付けされ、前記外蓋折罫線が前記内蓋折罫線に重なり、
前記外蓋片の外面を内側に押し込んで前記外蓋破断線を破断させ、前記外蓋破断線の破断した箇所を広げるように前記筒状体の角部を対角方向に押し込むことによって、前記外蓋折罫線と前記内蓋折罫線が内向きに各々折れ曲がり、前記筒状体が平坦に折り畳まれ、前記筒状体の中に前記外蓋片及び前記内蓋片が収容されることを特徴とする包装用箱。
【請求項２】
前記外蓋片の内側には、前記外蓋破断線と第一及び第二外蓋折罫線とが設けられ、前記外蓋破断線は、前記正面折罫線に間隔を空けて対向する主部と、前記主部の一端から鈍角で斜めに突き出て前記正面折罫線の一端に達する第一斜部と、前記主部の他端から鈍角で斜めに突き出て前記外蓋片の一方の先端側角部に達する第二斜部とを有し、前記第一外蓋折罫線は、前記主部の前記一端から鈍角で斜めに突き出て前記外蓋片の他方の先端角部に向かって延びており、前記第二外蓋折罫線は、前記主部の前記他端から鈍角で斜めに突き出て前記正面折罫線の他端に向けて延びており、
組み立て状態で、前記外蓋片の、前記主部と前記第一及び第二斜部より先端側部分が前記内蓋片に糊付けされ、前記第一外蓋折罫線が前記内蓋折罫線に重なり、
前記外蓋片の外面を内側に押し込んで前記外蓋破断線を破断させ、前記外蓋破断線の破断した箇所を広げるように、前記外蓋片の前記外蓋破断線の両端が位置した対角どうしを互いに近づけるよう前記筒状体の角部を対角方向に押し込むことによって、前記第一及び第二外蓋折罫線と前記内蓋折罫線が内向きに各々折れ曲がり、前記筒状体が平坦に折り畳まれ、前記筒状体の中に前記外蓋片及び前記内蓋片が収容される請求項１記載の包装用箱。
【請求項３】
組み立て状態で、前記外蓋片の前記主部は、前記筒状体の開口を前記正面折罫線と平行に２分割する位置に配置され、前記第一斜部、前記第二斜部、前記第一外蓋折罫線及び第二外蓋折罫線は、前記主部から１３５度の角度で斜めに突き出ている請求項２記載の包装用箱。
【請求項４】
前記２つの側面板には、前記連接方向と平行な端縁にサイドフラップが側面折罫線を介して各々延設され、
組み立て状態で、２つの前記サイドフラップは、前記筒状体の開口端側に倒れて前記内蓋片の内面に重なり、前記第一斜部が対向する方の前記サイドフラップは、前記背面板に近い側の端縁が、当該サイドフラップの先端に近くなるほど前記背面板から離れるように傾斜し、前記第二斜部が対向する方の前記サイドフラップは、前記正面板に近い側の端縁が、当該サイドフラップの先端に近くなるほど前記正面板から離れるように傾斜し、
前記筒状体が平坦に折り畳まれると、前記筒状体の中に２つの前記サイドフラップが収容される請求項１，２又は３記載の包装用箱。
【請求項５】
正面板、背面板及び２つの側面板が互いに平行な折罫線を介して連接され、前記正面板には、前記連接方向と平行な端縁に蓋片が正面折罫線を介して延設され、
組み立て状態で、前記正面板、前記背面板、及び前記２つの側面板により断面矩形の筒状体が形成され、前記蓋片により前記筒状体の開口端が閉鎖されている包装用箱において、
前記蓋片の内側には、蓋破断線と蓋折罫線が設けられ、前記蓋破断線は、前記正面折罫線の一端から前記蓋片の対角の一方の先端側角部に達し、前記蓋折罫線は、前記正面折罫線の他端から前記蓋片の対角の他方の先端角部に向かって延びており、
前記蓋片の外面を内側に押し込んで前記蓋破断線を破断させ、前記蓋破断線の破断した箇所を広げるように前記筒状体の角部を対角方向に押し込むことによって、前記蓋折罫線が内向きに各々折れ曲がり、前記筒状体が平坦に折り畳まれ、前記筒状体の中に前記蓋片が収容されることを特徴とする包装用箱。